Podtech/llm-jp-corpus-v4-ja_patent huggingface dataset:
(57)【要約】【目的】水晶片の追跡調査を可能とする水晶振動子を提供する。【構成】複数の励振電極及び引出電極を水晶ウェハに一体的に形成して個々の水晶片に分割してなる水晶振動子において、前記水晶片の分割前に、前記水晶ウェハの各水晶片に識別コードを設けた構成とする。前記識別コードは前記引出電極に形成する。前記水晶片は厚みの小さい振動領域と厚みの大きい外周領域とからなり、前記励振電極は振動領域に形成されて前記外周領域に引出電極を延出してなる。【選択図】図１
2004363980.tif 000002
【特許請求の範囲】
【請求項１】
複数の励振電極及び引出電極を水晶ウェハに一体的に形成して個々の水晶片に分割してなる水晶振動子において、前記水晶片の分割前に、前記水晶ウェハの各水晶片に識別コードを設けたことを特徴とする水晶振動子。
【請求項２】
前記識別コードは前記引出電極に形成した請求項１の水晶振動子。
【請求項３】
前記水晶片は厚みの小さい振動領域と厚みの大きい外周領域とからなり、前記励振電極は振動領域に形成されて前記外周領域に引出電極を延出してなる請求項１の水晶振動子。
【発明の詳細な説明】
【０００１】
【発明の属する技術分野】
本発明は水晶振動子を産業上の技術分野とし、特に追跡調査（トレーサビィリティ）を可能とする水晶振動子に関する。
【０００２】
【従来の技術】
（発明の背景）水晶振動子は周波数及び時間の基準源等として各種の電子機器に広く用いられる。近年では、光伝送システム等の発展から例えば６２２ＭＨｚ帯の高周波化が進む。このような高周波化を達成するものとして例えば凹状とした水晶振動子がある。
【０００３】
（従来技術の一例）第３図は一従来例を説明する水晶振動子の図である。
水晶振動子は例えばＡＴカットとし、厚みの小さい振動領域と厚みの大きい外周領域からなる凹状の水晶片１からなる。これにより、外周領域で保持できるので振動領域の厚みを小さくして高周波化しやすい。振動領域の両主面には励振電極２が形成され、外周領域に引出電極３を延出する。そして、図示しない組立て工程を経て容器内に密閉封入し、水晶振動子を完成する。
【０００４】
通常では、写真技術を用いたエッチングによって、水晶ウェハ４に縦横に凹部を形成するとともに励振電極２及び引出電極３を形成する。そして、各励振電極２の厚みを減じて周波数調整をした後、個々の水晶片１に分割される。この場合、周波数不良の水晶片１を排除して、良品のみが選別される。
【０００５】
【発明が解決しようとする課題】
（従来技術の問題点）しかしながら、上記構成の水晶振動子では、水晶ウェハ４に一体的に形成して分割するので、分割後には水晶片１の水晶ウェハ４における位置は判明しない。このため、周波数不良の水晶片１が良品中に混入した場合には、不良品を排除できない。また、切断時の欠損による振動特性等の不良品の位置が特定できず、位置と不良との関係を追跡できない等の問題があった。
【０００６】
（発明の目的）本発明は水晶片の追跡調査を可能とする水晶振動子を提供することを目的とする。
【０００７】
【課題を解決するための手段】
本発明の請求項１では、水晶ウェハの各水晶片に識別コードを設けた構成とする。これにより、個々の水晶片に分割した後、水晶ウェハにおける位置を認識できて追跡調査を可能にする。
【０００８】
同請求項２では、前記識別コードは前記引出電極に形成する。これにより、引出電極の形成時におけるマスクパターンを使用して形成でき、格別の工程を要することなく識別コードを容易に形成できる。
【０００９】
同請求項３では、前記水晶片は厚みの小さい振動領域と厚みの大きい外周領域とからなり、前記励振電極は振動領域に形成されて前記外周領域に引出電極を延出してなるので、高周波化を容易にする。
【００１０】
【実施例】
第１図は本発明の一実施例を説明する水晶振動子の図である。なお、前従来例と同一部分には同番号を付与してその説明は簡略又は省略する。
水晶振動子は前述したように水晶ウェハ４に複数の凹部とともに励振電極２及び引出電極３を形成して周波数調整後に、厚みの小さい振動領域と厚みの大きい振動領域を有する個々の水晶片１に分割される。
【００１１】
そして、ここでは、励振電極２を含めた引出電極３の形成時に、マスクパターンを用いて引出電極３に識別コード５を付与する。識別コード５は例えば算用数字として１・・・ｎを付与する。
【００１２】
このような構成であれば、個々の水晶片１に分割した後でも、識別コードに基づいて水晶ウェハ４における各水晶片１の位置を判別できる。したがって、周波数不良の水晶片１が良品中に混入しても不良品を排除できる。また、切断時の欠損による振動特性等の不良品の位置が特定できて、位置と不良との関係を追跡できる。
【００１３】
【他の事項】
上記実施例では凹部を有する水晶振動子を対象としたが、平板状であってもよく、要は水晶ウェハ４上に複数の水晶振動子を一体的に形成して個々に分割する場合に適用できる。また、識別コード５は算用数字としたが位置が認識できれば何でもよく、バーコードを用いてもよい。
【００１４】
【発明の効果】
本発明は、水晶ウェハの各水晶片に識別コードを設けたので、水晶片の追跡調査を可能とする水晶振動子を提供できる。
【図面の簡単な説明】
【図１】本発明の一実施例を説明する水晶片の平面図である。
【図２】本発明の一実施例を説明する水晶ウェハの平面図である。
【図３】従来例を説明する水晶片の図で、同図（ａ）は断面図、同図（ｂ）は平面図である。
【図４】従来例を説明する水晶ウェハの平面図である。
【符号の説明】
１  水晶片、２  引出電極、３  励振電極、４  水晶ウェハ、５  識別コード．
【図１】
2004363980.tif 000003
【図２】
2004363980.tif 000004
【図３】
2004363980.tif 000005
【図４】
2004363980.tif 000006
(57)【要約】【目的】高級な釣り竿の手元付近に巻いてある、高度な技術を必要とする芸術的な飾り巻き、この部分だけを分離して提供する。【構成】釣り竿に飾り巻きを、付加しようとする部分と同じ外径を有し、合成樹脂が定着しない丸棒（３）に、飾り巻き（１）を巻き、合成樹脂（２）で凝固させ、丸棒（３）を引き抜き筒状にした、そしてこの筒状の飾り巻き（１）に、釣り竿を差し込み接着するようにした。【選択図】  図１
2004222688.tif 000002
【特許請求の範囲】
【請求項１】
釣竿等の飾り巻き（１）を、合成樹脂（２）で凝固させ、筒状にするか、または環状の部材（４）に飾り巻き（１）を施し、筒状にした。
【発明の詳細な説明】
【０００１】
【産業上の利用分野】
この発明は、釣り竿の飾り巻きに関するものである。
【０００２】
【従来の技術】
従来の釣り竿の飾り巻きは、高度な技術をもった数少ない熟練者が、それぞれの竿に一本づつ時間をかけ、手巻きで巻いているため、近くに熟練者がいなければ、芸術的な釣り竿を作ることができず、コストが非常にかかった。
【０００３】
【発明が解決しようとする課題】
本発明は、近くに熟練者がいない場合でも、芸術的な飾り巻きを有する釣り竿が製作できるように、飾り巻き部分だけを、輸送可能にする。
【０００４】
【課題を解決するための手段】
飾り巻きを付加しようとする釣り竿と同じ外径で、合成樹脂が定着しない丸棒（３）に、飾り巻き（１）を巻き、合成樹脂（２）で凝固させ、丸棒（３）を引き抜き、筒状にした、そしてこの筒状の飾り巻き（１）に、釣り竿を差し込み接着するようにした。
【０００５】
【実施例】
第１例
本発明を図１にもとずき説明すれば。
（イ）鏡面仕上げしたテーパー丸棒（３）に飾り巻き（１）を施す。
（ロ）飾り巻き（１）の部分だけをエポキシ樹脂（２）で凝固させる。
（ハ）エポキシ樹脂が、十分凝固したら、テーパー付き丸棒（３）を引き抜く。
（ニ）筒状になった飾り巻き（１）に、釣り糸をとうすガイドが取り付ける前の釣り竿を差し込み、接着して固定するようにした。
第２例
本発明を図２にもとずき説明すれば。
（イ）      環状の部材（４）に飾り巻き（１）を巻く。
（ロ）      飾り巻き（１）に合成樹脂（２）を塗布し、これを凝固した。
（ハ）      こうして、出来た飾り巻き（１）を有する、環状の部材（４）に、釣竿を差し込み固定した。
【０００６】
【発明の効果】
このようにして、熟練者にしかできない飾り巻きを筒状にしてあれば、輸送することが可能になり、近くに熟練者がいない地域でも、容易に芸術的な飾り巻きを有する釣り竿や、ステッキ等を、製作することができる。
【図面の簡単な説明】
【図１】本発明の斜視面図
【図２】本発明の断面図
【符号の説明】
１飾り巻き
２合成樹脂
３丸棒
４環状の部材
【図１】
2004222688.tif 000003
【図２】
2004222688.tif 000004
(57)【要約】【課題】犬の散歩の際は、糞処理が何よりの課題である。杖一本で糞取り収納また、いま課題のたばこの吸い殻収納及び、杖本来の役目も果たす事を提供する。【解決手段】角丸問わずパイプ杖の下部７を切断し、チヨ板８を取り付け、折り曲げ可能とし杖の上部５を上げる事により、杖、パイプの中の９が上がり本体下部２を折り曲げ犬の糞を取り入れ収納する。また、本体１の上部に６の穴を明ける。上部つまみ５を持ち上げる事により６の穴よりたばこの吸い殻を本体２に落下させる。本体２に収納する事前に本体下部２の中に液体洗剤を吹き付け、塗り付けて置くことが、糞をすくいやすく、また悪臭も除ける。下部底蓋４を取り除き、廃棄物を一式底より投棄する装備。【選択図】          図１
2004222690.tif 000002
【特許請求の範囲】
【請求項１】
パイプ杖の下部を折り曲げ、犬の糞をすくい取り収納する。一方、手元の蓋を明けたばこの吸い殻を、パイプの中へ落下させ、収納下部の底より取り除く事を特徴する、犬の糞取り収納杖。
【発明の詳細な説明】
【００１】
【発明の属する技術分野】
本発明は、犬の糞及びたばこの吸い殻を、杖本体パイプ内部に収納する構造に関する。
【００２】
【従来の技術】
犬の散歩中、犬の糞を挟み取りビニール袋に入れ、持ち帰る。糞の入った容器その物を持ち歩くなど様々な、収納構造が提案されている。
【００３】
【発明が解決しようとする課題】
ところで、犬の散歩中路上であれ、公園の芝草場であれ、ところかまわず糞をする其の処理をしなければならず、必ず容器などに取り入れ持ち帰らなければならない。たばこの吸い殻も共用である。犬に糞については、人は糞に近づき何らかの収納容器を使い、処理しなければならない。
持ち帰ることは義務であるが、心地よい物ではない。そのため次のような課題が有り未だ改良の余地を残している。
【００４】
【課題を解決するための手段】
前記目的の達成課題を達成するため本発明に関わる犬の糞取り収納杖は、手元まで長さがあるため、糞に近づくことなく杖の中間下部を折り曲げ収納することが出来る。また、一目見て杖であるため、犬の糞収納物とは思わず人目を気にする事はない。また、たばこの吸い殻も共用杖の手元より収納できるため、便利に使用できる。また、杖その物も老人や体の不自由な人に必要な物である。
【００５】
【作用】
本発明に係わる、犬の糞取り収納杖下部の部分を折り曲げ、犬の糞すくい取り収納する物である。そのため、パイプが望ましい。また、杖としての使用もあり部材は軽量である事、また、たばこの吸い殻も収納するため、強度が要求される。さらに、複雑な構造は老人や体の不自由な人には望ましくない。
【００６】
【実施例】
以下、添付図面に基づいて本発明の実施例を説明する。
図１〜図７は本発明に係わる犬の糞取り収納杖の一例を示すものである。糞取り杖本体１と２が折り曲がるよう、チヨ板８で連結している。本体１の上部５は平板９を折り曲げた物で９を上下するとき、５はつまみの役割を果たす。５は、杖本体１〜２のパイプの中を垂直に下っている、９のつまみである。つまみ板５を上げることにより５と連結している９が上昇するため、本体２が８のチヨ板により折れ曲がり、糞を取り入れること    糞の収納後、杖を垂直にして、つまみ板５を下げることにより、９がスライド落下杖の折り曲げを防ぎ、杖の役目を果たす。
【００７】
このように、杖上部手元の５をつまみ上げることにより５と連結している９がスライドし上昇するため、下部の本体２が折り曲がる。そこで、下部本体２の中へ糞をすくい入れる。本体１〜２を垂直に立て上部手元の５を下げる５〜９は一体のため同時に下がる。杖、パイプの中で９が下がることにより杖が折れ曲がりを防ぎ、杖の強度も増し、杖の役割を果たす。
【００８】
さらに杖本体１の上部天板に穴を明け、本体上部つまみ５を上がることにより、本体１の上部の穴にたばこの吸い殻を入れ、杖本体２まで杖、パイプの中を落下させる。本体２の底まで落下するため、臭いは上昇しにくい、さらに杖上部つまみ５を下げることにより蓋となり、さらに悪臭を止める事が出来る。糞を取り除く事前に本体下部２に液体洗剤をふりかけることがすくいやすく、投棄しやすい。
【００９】
本体下部２の底に杖として使用するため底蓋は滑り止めゴム製でなければならない。しかしながらたばこの吸い殻は、火の危険もあるため、底蓋ゴムの内部底１０は金属製に限る。また、底の蓋は本体２に収納した糞を取り除くため、４は差し込むだけの物とする。その際、深く差し込むことが望ましい。
【０１０】
犬の糞取り収納杖は、１〜２〜３〜４とが一体であり、他から見た目もよく杖そのものである。また、パイプにより強度が有り杖として使用の危険も少ない。また、軽量金属を使用するため、老人や体の不自由な方にも手軽に使用できる。犬の散歩中杖の役目も果たし、さらに犬の糞取り収納、たばこの吸い殻処理と使い勝手は大きい物と思われる。
【０１１】
【発明の効果】
以上説明したように、本発明に係わる犬の糞取り収納杖は、杖本来の役目も果たし、犬の糞取りに使用しさらに、たばこの吸い殻も共用収納することが出来る。犬の散歩の時一番気になるのは、糞の取り収納である。杖一本持つことにより、犬の糞、たばこの吸い殻など気に病まずに、楽しい散歩が出来るものと思われます。
【図面の簡単な説明】
【図１】本発明に係わる犬の糞取り杖の一例を示す斜視図である。
【図２】本発明に係わる横上部断面図である。
【図３】本発明に係わる横下部折り曲げ断面図である。
【図４】本発明に係わる正面上部断面図である。
【図５】本発明に係わる正面下部断面図である。
【図６】本発明に係わる上部平面図である。
【図７】本発明に係わる上部平面断面図である。
【符号の説明】
１．杖本体上部。
２．杖本体下部。
３．杖取手。
４．杖下部底取り出し蓋。
５．つまみ上部。
６．杖上部穴。
７．折り曲げ線。
８．チヨ板。
９．スライド板。
１０．底金属面。
【図１】
2004222690.tif 000003
【図２】
2004222690.tif 000004
【図３】
2004222690.tif 000005
【図４】
2004222690.tif 000006
【図５】
2004222690.tif 000007
【図６】
2004222690.tif 000008
【図７】
2004222690.tif 000009
(57)【要約】      （修正有）【課題】ウキ止めを利用した釣りではタナ変更で道糸を幾度も移動させると切れて使用不可となることがあった。【解決手段】テグス誘導輪２を作り、孔から出ている二本の物をゴムひも抜け防止台に置いて通すと物の両端を右側に伸びた形にして、可能な限り細い合成ゴムひもを可能な限り強く引張りながら適宜な巻数で、ゴムひも巻きつけ溝台にある二本の物を可能な限り強く絞め付けるが如く巻き、一重結びのときはそのひもを切る場合できるだけ出っ張りが少なくなるように切りその結び目と二つの切り口の部分だけ結び目が確実に解けない程度の接着剤で接着し、釣人がテグス誘導輪２の中にリールに巻かれた道糸の端を潜らせ道糸側にも輪を作ったあと完成したウキ止めを輪先に向って指先で引張って道糸側に移動させ、一度通したら何度も使用できるようなウキ止めにする。【選択図】  図２
2004222686.tif 000002
【特許請求の範囲】
【請求項１】
本体の道糸の台となす適宜の厚さの合成ゴムの成形に三点の特徴を持たせ、その一点は道糸を通すため適宜の形と巾を持たせたその孔は道糸の号数の主も適した孔の大きさとし、その二点は道糸通し台とゴムひも巻き抜け防止台との間に括れを持たせ、その三点はゴムひも巻き抜け防止台として最小の巾と長さを持たせなければならない。以上の三点の特徴を持たせたものを製造過程にその一点の孔に金属の細棒又はテグス又は石油系樹脂の細棒の適宜の長さの一方より潜らせ残った一方をも潜らせ輪の形とし、孔から出ている二本の物は反対側のゴムひも巻き抜け防止台上に置かれ通し、上記のその二点の括れを持たせたゴムひも巻き付け溝に可能な限り細い合成ゴムひもをウキ止めの道糸絞め付けをより高めるために可能な限り強く引張りながら上記のその二点の括れを持たせたゴムひも巻き付け溝に巻きつけて、その巻き数は理想の巻き数とし、結びを一重とした場合その結び目が解けない程度の接着剤使用量とする方法と、結びを作らずに巻かれた合成ゴムひもの絞りが解けない程度の接着剤使用量とする。上記の輪は、その輪の中にウキ止めのためのリールに巻かれた道糸の端を潜らせ道糸側にも輪を作ったあと完成したウキ止めを輪先に向って指先で引張って道糸側に移動させるため適宜の輪の大きさとする合成ゴムを使用したウキ止め。
【発明の詳細な説明】
【０００１】
【発明の属する技術分野】
本発明は、道糸を積極的に絞め付けて従来のウキ止めの弱点である使用頻度によって縛りが弱化し又は絞め付不充分や裂けたりするものに対して改善なされるものである。
【０００２】
【従来の技術】
従来は、ウキ止め方式は天然の糸や合成糸で縛り付ける方法と合成ゴムに細孔を開けたものを成形した消極的絞め付け方法でしかなかった。
【０００３】
【発明が解決しようとする課題】
従来は、ウキ止めには二種類の方式があるが、その一つは天然の糸か合成の糸による縛る方式で、その方法の欠点は結び目が無いので使用頻度によって縛りがゆるむ傾向にあったり糸がこすれて繊維がほどける傾向も生じた。別の一つに合成ゴムに細孔を開けた成形品のゴムの消極的絞め付け方法を採用しているので、ウキ止め位置が加重移動したりウキ止め位置を変える（タナ変え）ための道糸との摩擦によって裂けるという不具合が生じた。
【０００４】
【課題を解決するための手段】
図１の如く道糸通し台１に開けられた道糸通し孔４に金属の細棒又はテグス又は石油系樹脂の細棒の適宜の長さの物の両端をその孔に潜らせて図２のテグス誘導輪２を作ったあと孔から二本の物を図１のゴムひも巻きつけ溝台２からゴムひも巻き抜け防止台３へ置いてゴムひも巻きつけ溝５に可能な限り細い合成ゴムひもを可能な限り引張りながら適宜の巻き数で巻き、一重結びか結ばないでそのゴムひもを切った周辺のみ図３注丸即ち図４の点線のみ接着剤を点じ付け、硬化をできるだけ少なくする意味から接着剤を最少使用し、仕掛け投入の竿振り時のリールの引っかかりが発生しないようにする。
【０００５】
【発明の実施の形態】
図１の如く道糸通し台１にある道糸通し孔４に金属の細棒又はテグス又は石油系樹脂の細棒の適宜の長さの物の両端をその孔に潜らせて適宜のひとつの輪を作ったあと（図２のテグス誘導輪２）その潜らせた孔より図１の道糸通し台１とゴムひも巻き抜け防止台３の巾の中心に上記の二本の物を押し当て図２の４の如く物の両端を持って来て可能な限り細いゴムひもを可能な限り引張りながら、図１のゴムひも巻き付け溝台２にゴムひもを巻きつけ図２の１の巻かれたゴムひもの如くなるように、二本のゴムひもを切る場合結びが解けない程度に巻きゴムひも端図３が確実に固定される程度の最少の図４の点線部のみ接着剤でくっつけて、釣りをする上でいかなる場合でも少しもタナ取りのウキ止め位置を狂わさないようにする。
【０００６】
【発明の効果】
釣りにも釣ろうとする魚によって釣場が異るものであるが、特に荒磯渡しなどの場合潮の干満の状態を読みつつ限られた時間内で仕掛けを投づるのだが、従来のウキ止めの場合急がれる中で、ウキ止めが繊維の糸のときなど加重圧によってそのテグスへの縛りが投ずる頻度によってゆるむ傾向にあって、タナの変動を感じてもあわただしい中ではウキ止め交換を時間を惜しんで変えないことがあった。また合成ゴムの紡錘形に細い孔を開けた成形品をウキ止めにした場合、ゴムの絞め付けが弱くタナを幾度も変えた場合ゴムが切れてしまう弱点があり余りたよりにならないウキ止めであったので使用することがなくなった経緯がある。上記の荒磯でなくとも釣りに興じている最中にウキ止めを交換するのは大変面倒くさく感ずるものである。本発明の合成ゴム本体と合成ゴムひもと接着剤を合せても製造コストは余りかからずに済むことが分るが、本発明のウキ止めはリールに巻かれた状態で何度も使用できることが実施して分ったが、従来のウキ止めにそれを求めるのは無理と言える。
【図面の簡単な説明】
【図１】本発明の本体と成す合成ゴムのプレス成形の平面図である。
【図２】本発明のウキ止め完成品の平面図である。
【図３】本発明のウキ止め完成品の横面図である。
【図４】図３の注丸の拡大図である。
【符号の説明】
図１
１  道糸通し台
２  ゴムひも巻きつけ溝台
３  ゴムひも巻き抜け防止台
４  道糸通し孔
５  ゴムひも巻きつけ溝
図２
１  巻かれたゴムひも
２  テグス誘導輪
３  巻きゴムひも端
４  物の先端
図３
巻きゴムひも端
注丸
図４
注丸拡大
点線部のみ接着剤
【図１】
2004222686.tif 000003
【図２】
2004222686.tif 000004
【図３】
2004222686.tif 000005
【図４】
2004222686.tif 000006
(57)【要約】【課題】防鳥と景観との両立。【解決手段】仕切り材を収納する支柱に折りたたみ可能なガイド枠を配設し、該ガイド枠に沿って移動する伸縮容易な仕切りにて地面との囲繞空間内に収納部を構成。【選択図】  図１
2004222638.tif 000002
【特許請求の範囲】
【請求項１】
支柱上部にて任意形状のレール、ガイド枠を支持して備え，且つ該レール、ガイド枠を任意の位置にて固定し得る構造とし、且つそのレール、ガイド枠に沿って移動可能な金具を任意数取り付け該金具にネットや折り畳みカーテン様態など伸縮可能な適宜な仕切り材を任意の分割構成とし適間に吊下連結し且つ該仕切りの下辺に任意に適宜な錘を付設、金具の移動による仕切り材の引き出し展張にてレール、ガイド枠下方の地上空間を囲繞し収容空間を構築することを特徴とする収ゴミ防鳥具。
【発明の詳細な説明】
【０００１】
【発明の属する技術分野】
本発明は，ゴミ袋集積所におけるカラスなどの鳥類や犬，猫などによる散乱被害を防ぐことを目的になされたものである。
【０００２】
【従来の技術】
従来，この種の防止対策には収積箱を設置したり、防鳥ネットを現場に備え付け所要に応じてゴミ袋上に広げ覆うものが一般的である。
【０００３】
【発明が解決しようとする課題】
しかし収積箱の常設には応分の設置スペースが必要であり、またネットにて直に覆う方法ではゴミ袋と網が密着するため鳥が網越しに袋をつついたり裾部に隙間が生じ犬や猫が侵入するなどの懸念がある。また追加収納の都度にネット縁を持ち上げゴミ袋を積み込むのも面倒である。一方、不要時のネット処理も近傍の電柱や街路樹に巻きつけるなど収積箱と同様に景観上も好ましいものではない。
【０００４】
本発明は以上の点を考慮してなされたものであり、簡単にゴミ収容のスペースが構成確保出来かつ不要時には周囲の景観を損なうことの無いようコンパクト化可能な収ゴミ具の実現を図ったものである。
【０００５】
【課題を解決するための手段】
上記目的を達成せんがために本発明装置では、支柱体に折りたたみ可能なガイド枠を軸設し、該ガイド枠に沿い伸縮移動可能な仕切り材を延展させガイド枠下の地上空間に収容スペースを囲繞構築させた。
【０００６】
【発明の実施の形態】
本発明の一実施例について図面を参照し簡単に概要を説明すると、ベース１より立設した支柱２があり、その正面上部には水平軸部３を軸心に垂直方向に回転可能な中空材の任意略長円形状のガイド枠４があり、ガイド枠４を軸通して該ガイド枠４上を自在に移動可能なリング５が任意数配置してある。ここにリング５はガイド枠４に取り付け、外し自在の構造としてもよい。
【０００７】
ガイド枠４の枠内には中心央に枠軸２０を渡設してありかつその任意箇所には水平支軸２１を支点に回動可能なヒンジアーム６を連結し、支柱２に配設したガイド７内に沿わせつヒンジアーム６先端に固着の固定杆９を支柱２に配設した適当な位置の固定具８上面に当接させ図４のようにガイド枠４を任意の角度にて保持固定し得る構造としている。
【０００８】
次に、設営地上面との枠下空間を適宜に裾広の余裕を有して囲繞するような略四辺任意形状の細目ネット１０一対を左右対称に用意し、それぞれの上辺はリング５に付設した鉤部１１に拘引金具２２を介して任意ピッチにて嵌め込みガイド枠に沿い吊り下げた状態に置く。そして奥の後端縁は支柱左右に配備した各縦軸１２に縫合し、かつ手前の移動先端縁はリング鉤部１１に一端を固着し、磁力にて適度な相互結合力を擁する一対のスチール製先頭框プレート１３にそれぞれ嵌合係止してある。
【０００９】
また、該ネット１０下裾には適宜な錘材１４を取り付けてあり安易な浮き上がりを防いでいる。仕切り材としては他にも例えばカーテン形態の適当な畳み込み材などが適用される。
【００１０】
ガイド枠４の枠内に渡設する枠軸２０には図２のように細い飾軸１５を任意に平面的に適宜渡して溶着し上方からの鳥類の侵入を防いでいる。なお、これら枠軸２０、飾軸１５の取り付けには何れもガイド枠４に沿って動くリング５の囲繞移動機能を妨げないよう配慮してある（図２）。
【００１１】
本例（図１）にてはコンクリート地にアンカーボルトにてベース１を固着する仕様としているがその設置情況に応じて設置現場の構造物に支柱背面を緊持させたり、設営場所が随時移動する場合には各設営箇所に図４のような固定ベース１６を配設しておき固定緊具１７にて該固定ベース１６に容易に着脱可能とするなど多様な設置場所に合わせて適宜、装置設営の手段を設けている。
【００１２】
図５，図６，図７，図８は本装置に扉１８を付設した一例の簡略図であり、図６のように該扉１８をａ方に広げさらに蝶番連結されている１８ａをｂ方に直開する（図６）ことで収納スペースの枠組み構成の一端を担わせたものであり、その骨材は中空パイプ材で内側に網鋼を面当て溶着してある。
【００１３】
【発明の効果】
本発明は以上のように構成されており、以下に記載されているような特長を擁する。
【００１４】
ゴミ集積時はガイド枠４を手前に引き起こし任意の位置に固定。次に支柱２側に収納されている一対の仕切りネット１０をそれぞれの先頭框プレート１３をガイド枠４に沿わしつ左右より手前正面に引き出し互いを結合させることにより枠下に簡便即座にフレキシブルで立体的な囲繞空間を形成。先頭框プレート１３相互間の開閉により手前方からの積み重ねの追加収納も容易に行なえ散乱防止にも役立つ。
【００１５】
一方、ゴミの回収時には仕切りネット１０をそれぞれ支柱２方に移動させた後ガイド枠を上方に回転させる（図３、図４のＡ）ことにより集積物が完全なオープン状態になるので回収作業も円滑に進めることが出来る。
【００１６】
また、本装置の未使用時にはガイド枠４に沿って左右の伸縮自在の仕切り材、本例ではネット１０をそれぞれ奥の支柱２方にスライド収容しヒンジアーム６先端の固定杆９を固定具８より解除しガイド枠４を軸転させ前部を支柱方に垂下し密着させることによりシンプルですっきりとしたコンパクトな外観を得（図７）、その設営移動も容易である。また飾軸１５の面に表示プレート１９などを着脱可能に取り付け設営地の地番やゴミ回収曜日の表示記載等に充てても良く周囲の美観向上にも役立つ。
【００１７】
【図面の簡単な説明】
【図１】防鳥具の利用時正面簡略図である。（ネット１０の一部透視）
【図２】防鳥具の利用時平面図である。
【図３】防鳥具の正面図である。
【図４】防鳥具の利用時右側面図である。（ネット１０の一部透視，一部拡大）
【図５】扉を広げた防鳥具の正面図。（一部略）
【図６】扉を広げた防鳥具の平面図。（一部略）
【図７】扉を収容した防鳥具の正面図。（一部略）
【図８】扉を広げた防鳥具の側面図。（一部略）
【符号の説明】
２      支柱
４      ガイド枠
５      リング
１０    ネット
１６    固定具
【図１】
2004222638.tif 000003
【図２】
2004222638.tif 000004
【図３】
2004222638.tif 000005
【図４】
2004222638.tif 000006
【図５】
2004222638.tif 000007
【図６】
2004222638.tif 000008
【図７】
2004222638.tif 000009
【図８】
2004222638.tif 000010
(57)【要約】【課題】石油起源の化学合成ビタミン原料を使わず、全て食品起源のビタミン原料を使った栄養補助食品（ビタミン補助食品）を提供する。【解決手段】栄養補助食品の製造工程において、石油起源の化学合成ビタミン原料の替わりに、ビタミンＢ群強化酵母（ＲＤＡ酵母）を使用する事により、石油起源の合成原料を一切使用することなくビタミンＢ群が手軽に補給でき、かつ全ての原料が食品由来という一般消費者のニーズに合った栄養補助食品となる。【特許請求の範囲】
【請求項１】
ビタミンＢ群の原料にビタミンＢ群強化酵母を使用する事によって、全ての原料を食品由来原料とした栄養補助食品またはその製造方法。
【発明の詳細な説明】
【０００１】
【発明が属する技術分野】
本発明は、ビタミンＢ群強化酵母（ＲＤＡ酵母）を使用して、錠剤、ハードカプセル、ソフトカプセル、糖衣錠などのいわゆる錠剤形栄養補助食品を製造したものである。
【０００２】
【従来の技術】
従来は、石油を起源とする化学合成原料を一切使わず、全て食品由来のビタミン原料を使った栄養補助食品は高価な上にビタミンの含有量が少なかった。
【０００３】
【発明が解決しようとする課題】
日本の消費者は食品を摂取する場合、石油成分を起源とする化学合成原料ではなく、食品を起源とする原料を使った商品を志向する傾向にある。しかしながら食品を起源とする原料を使って錠剤あるいはハードカプセル、ソフトカプセル、糖衣錠などのいわゆる錠剤形の栄養補助食品を製造すると、ビタミンＢ１等のビタミンＢ群について、１粒当りに含まれる含有量が厚生労働省が示した「第六次改訂日本人の栄養所要量」を遥かに下回る量（１％程度）しか含有させる事が出来ず、栄養補助食品としての機能を持たなくなってしまう。従来は、このビタミンＢ群量を増量するために、石油起源の化学合成原料を混合するしかなく、全てのビタミン原料を食品由来とするのは困難という難点があった。本発明は、この課題を解消するためになされたものである。
【０００４】
【課題を解決するための手段】
栄養補助食品の製造工程において、石油起源合成原料の替わりにビタミンＢ群強化酵母を使用する。
【０００５】
【発明の実施の形態】
以下、本発明の実施の形態について説明する。
（イ）．製造原料にビタミンＢ群強化酵母（ＲＤＡ酵母）を１００ｍｇ、又はそれ以上配合し、錠剤、ソフトカプセル、糖衣錠などの錠剤形に加工する。
（ロ）．他のビタミンと複合する場合も、（イ）と同様にビタミンＢ群強化酵母（ＲＤＡ酵母）を１００ｍｇ、又はそれ以上配合し、錠剤、ソフトカプセル、糖衣錠などの錠剤形に加工する。
【０００６】
【発明の効果】
この製造方法で製造した栄養補助食品は、１粒当りのビタミンＢ群含有量が「第六次改訂日本人の栄養所要量」の２０〜４０％含有する。よって、全て食品由来のビタミン原料を使用しながら１日の摂取量は５粒程度に抑える事が出来る。以上の結果、石油由来の化学合成原料を使ってビタミンを増量する必要はなくなる。
(57)【要約】【課題】この発明は、鉢苗の定植前のマルチフィルムと土の穴開け器に関するものである。【解決手段】中空軸（７）の上部ハンドル（６）を付け下部に円筒刃（２）を付け、棒（４）の上部にハンドル（５）をつけ下部に円柱（１）と踏み板（３）を付ける。【選択図】  図１
2004222695.tif 000002
【特許請求の範囲】
【請求項１】
（イ）中空軸（７）の上部にハンドル（６）を付け下部に円筒刃（２）を付ける。
（ロ）棒（４）の上部にハンドル（５）を付け下部に円柱（１）と踏み板（３）を付ける。
以上の如く構成された、マルチフィルムと土の穴開け器。
【発明の詳細な説明】
【０００１】
【発明の属する技術分野】
この発明は、鉢苗を定植する前の穴開け器に関する。
【０００２】
【従来の技術】
従来、鉢苗の定植前の穴開けはフィルムと土は別々にしてフィルムはとりのぞいていた。
【０００３】
【発明が解決しようとする課題】
マルチフィルムと土の穴開けを同時にする。
【０００４】
【課題を解決するための手段】
（イ）中空軸（７）の上部にハンドル（６）を付け下部に円筒刃（２）を付ける。
（ロ）棒（４）の上部にハンドル（５）を付け下部に円柱（１）と踏み板（３）をつける
以上の構成からなる穴開け器。
【０００５】
【発明の実施の形態】
本発明は、以上のような構造であるから、これを使用するときは、ハンドル（１）を片手で押し下げてマルチフィルムを切ってハンドル（１）を上げ、ハンドル（１）とハンドル（５）を両手でにぎり踏み板（７）を足で踏むと穴ができる。
【０００６】
【発明の効果】
（イ）穴開け作業がはやい。
（ロ）鉢苗の定植は穴においていくだけでよい。
（ハ）切れたフィルムが皿状に穴の底に残るため温水かけの回数がへる
（ニ）鉢土が乾かないので活着がはやい。
（ホ）生育後期に水分と病菌をある程度遮るので病害が減る。
【図面の簡単な説明】
【図１】本発明の正面図の断面図
【図２】本発明の平面図
【図３】本発明の右側面図
【符号の説明】
１は円柱
２は円筒刃
３は踏み板
４は棒
５はハンドル
６はハンドル
７は中空軸
８は支持金具
【図１】
2004222695.tif 000003
【図２】
2004222695.tif 000004
【図３】
2004222695.tif 000005
(57)【要約】【課題】棒の先端に円形の骨組みに網ネットを付けた蜂の巣捕獲具である。【解決手段】蜂の巣を包み込めるように、棒の先端に開閉自在の円形熊手形の骨組みを取り付け、その骨組みに網ネットを付けて蜂と蜂の巣を同時に捕獲する捕獲具である。【選択図】    図１
2004222696.tif 000002
【特許請求の範囲】
【請求項１】
棒の先端に開閉自在で閉じた時、中側が膨らみを持つ熊手形の骨組みを円状に取り付け、骨組みに網ネットを付けた蜂の巣取り用具。
【請求項２】
骨組みの形状を変えることによって、果実、昆虫、魚貝を捕獲する事の出来る骨組みに網ネットを付けた捕獲具。
【発明の詳細な説明】
この発明は、棒の先端に開閉自在で閉じた時、中側が膨らみを持つ熊手形の骨組みを  円状に取り付け、骨組みに網ネットを付けた蜂の巣捕獲具に関するものである。従来の蜂の巣捕獲は、棒で落としたり、薬剤、煙などで蜂を巣から除いてから行なっ  ていた為、蜂に襲われるなど危険な作業であった。
本発明は、その欠点を除く為になされたもので、これを図面について説明すれば，棒（１）の先端に中側が膨らみを持つ熊手形の骨組み（２）を円状（３）に取り付ける。  この骨組みに網ネット（４）を付け、円状では開いた状態であり、蜂の巣を捕獲した時  は閉じるよう開閉自在が出来るようにする。
本発明は、このような構造であるから、開いた状態で蜂の巣まで持って行き、巣を包むように閉じると、蜂と蜂の巣は網ネットの中に包み込まれるので、蜂に襲われるとい  う危険も無く、安心して蜂の巣駆除が出来る。また、骨組みの形状を色々変える事によって果実をもぎ取ったり、昆虫採集、魚介類をすくうなど、その用途も広がるなどの効果も得られる。
【図面の簡単な説明】
【図１】本発明の断面図である。
【図２】本発明の使用状態の形体図である。
【符号の説明】（１）は棒  （２）は骨組み  （３）  円状の骨組み
（４）網ネットの取り付け部
【図１】
2004222696.tif 000003
【図２】
2004222696.tif 000004
(57)【要約】【課題】本発明はこれまでの海ブドウ陸上および沿岸籠養殖のコスト高を低減するために、パールネットによる多段式養殖技術を利用して、パールネット籠を改良することによって海ブドウの多段式養殖を行うことを目的としている。【解決手段】包装資材エアセルマットをパールネット底の対角線の長さ切断し丸めたもの  ２本を９０度に組み合わせ繊維で固定し海ブドウ付着形成枠をつくり、これをタマネギ袋の中にいれ海ブドウ毛根付着内部ネットとし、これをパールネット開閉口にいれ上部ネットから約１センチ間隔下に位置するように垂下綱に固定し、パールネット利用の約１センチ間隔の２重ネット海ブドウ籠を作る。【選択図】                    図１
2004222692.tif 000002
【特許請求の範囲】
【請求項１】
包装資材エアセルマット１をパールネット底２の対角線の長さ切断し丸めたもの２本を９０度に組み合わせ繊維３で固定し海ブドウ付着形成枠４をつくり、これをタマネギ袋５の中にいれ、海ブドウ毛根付着内部ネット６とし、これをパールネット開閉口７から入れ上部ネット８から約１センチ間隔下に位置するように垂下綱９に固定し、パールネット利用の約１センチ間隔の２重ネット海ブドウ籠を作る。
【発明の詳細な説明】
【０００１】
【発明の属する技術分野】
本発明は、パールネットを利用した多段式海ブドウ養殖籠に関する。
【０００２】
【従来の技術】
従来の海ブドウ養殖は、ネットを２重にした籠を沿岸海域で１段式で養殖綱に垂下するか、または陸上養殖において海水を汲み上げて実施していた。
【０００３】
【発明が解決しようとする課題】
【０００４】
本発明はこれまでの海ブドウ陸上養殖および沿岸籠養殖のコスト高を低減するために、パールネットによる多段式養殖技術を利用して、パールネット籠を改良することによって海ブドウの多段式養殖を行うことを目的としている。
【０００５】
【課題を解決するための手段】
上記の目的を達成するために、本発明の多段式海ブドウ養殖籠においては、２重ネット構造を外部パールネット、内部をタマネギ袋とした。
【０００６】
従来の陸上海ブドウ養殖および、沿岸海ブドウ養殖は２重ネット構造が１段でありコスト高であったのでパールネットの垂下式多段養殖方式を採用することによってコストを低減できる。
【０００７】
包装資材を丸め組み合わせることによって、海ブドウ付着形成枠をつくりこれをタマネギ袋に入れることによって着脱自由の内部海ブドウ付着ネットをつくった。
【０００８】
【発明の実施の形態】
発明の実施の形態を実施例にもとづいて図を参考にして説明する。
図１において、包装資材エアセルマットをパールネット底の対角線の長さ切断し丸めたもの２本を９０度に組み合わせ繊維で固定し海ブドウ付着形成枠をつくり、これをタマネギ袋の中にいれ、海ブドウ毛根付着内部ネットとし、これをパールネット開閉口から入れ上部ネットから約１センチ間隔下に位置するように垂下綱に固定し、パールネット利用の約１センチ間隔の２重ネット海ブドウ籠を作る。
【０００９】
【発明の効果】
本発明は、以上説明したように構成されているので以下に記載されるような効果を有する。
【００１０】
従来の海ブドウ陸上養殖と比べて揚水施設、海水濾過装置、水槽施設、温度管理施設、配管施設等の設備投資費がかからない。
【００１１】
電気代などランニングコストがかからない。
【００１２】
従来の沿岸における１段式海ブドウ籠養殖施設と比べて２０段式であるので、海ブドウの効率的大量生産ができる。
【００１３】
本発明は、既存のパールネットおよびタマネギ袋を用いて２重ネットをつくるのでコストが安い。
【００１４】
本発明による海ブドウ２重ネット籠は形状がピラミッド型であるので、１段式籠養殖と比べて光合成面積が大きく効率的な海ブドウ養殖ができる。
【図面の簡単な説明】
【図１】パールネットを利用した多段式海ブドウ養殖籠の透視図である。
【符号の説明】
１．包装資材エアセルマット
２．パールネット底
３．繊維
４．海ブドウ付着形成枠
５．タマネギ袋
６．海ブドウ毛根付着内部ネット
７．パールネット開閉口
８．上部ネット
９．垂下綱
【図１】
2004222692.tif 000003
(57)【要約】【課  題】従来のプランターは筐体を構成するために、ビスや釘で結合したものであるので、容易に解体したり組み直したりすることが困難であった。また長さの異なる部材により組み合わせを変えたり、部材の段数によりプランターの高さを変えることが困難であった。【解決手段】プランターを構成する板材に横方向嵌合部と縦方向嵌合部を設ける。４枚の部材は長さが同じ部材２枚を１組として対辺に置き、それぞれの組は逆向きの横方向嵌合部とする。これら４枚の板材を隣接する板材の嵌合部に填め込み結合し筐体を形成する。次に同様な方法で筐体を作り、先の筐体の上に積み重ねる。その時上下の筐体の縦方向嵌合部が、填め合いになる構造に組み立てる。すなわち、請求項１に係る横方向嵌合部と縦方向嵌合部を有する板材で構成されることを特徴とする。【選択図】    図１
2004222693.tif 000002
【特許請求の範囲】
【請求項１】
横方向嵌合部と縦方向嵌合部を有する板材のみで組み立てられるプランター。
【請求項２】
製材廃材の背板を利用し組み立てられる上記プランター。
【発明の詳細な説明】
【０００１】
【発明の属する技術分野】
本発明は、プランターとなる筐体を単一、もしくは多くて２種の部品で構成されるプランターに関する。
【０００２】
【従来の技術】
従来の組立式プランターは、数種類の部品から構成され、それを金属製ビスや釘で結合したものであった。
【０００３】
また金属製ビスや釘を使用しない構造のプランターにおいては、楔やそれに類する結合具を使用したものであった。
【０００４】
【発明が解決しようとする課題】
従来のプランターは筐体を構成するために、ビスや釘で結合したものであるので、容易に解体したり組み直したりすることが困難であった。また長さの異なる部材により組み合わせを変えたり、部材の段数によりプランターの高さを変えることが困難であった。
【０００５】
【課題を解決するための手段】
このために、以下のようなプランターを構成する板材に横方向嵌合部と縦方向嵌合部を設ける。４枚の部材は長さが同じ部材２枚を１組として対辺に置き、それぞれの組は逆向きの横方向嵌合部とする。これら４枚の板材を隣接する板材の嵌合部に填め込み結合し筐体を形成する。次に同様な方法で筐体を作り、先の筐体の上に積み重ねる。その時上下の筐体の縦方向嵌合部が、填め合いになる構造に組み立てる。すなわち、請求項１に係る横方向嵌合部と縦方向嵌合部を有する板材で構成されることを特徴とする。
【０００６】
次に請求項１に係るプランターにおいて、隣り合う板材の嵌合部を逆向きにすることで、全く同一部品のみで組み立てができることを特徴とする。
【０００７】
また請求項２に係るプランターにおいては、それぞれ厚さの異なる部材を加工し上記同一の嵌合部構造を有し、填め込んだ時に隣り合う板材が干渉する部分を切除してなる構造を特徴とする。
【０００８】
【発明の実施の形態】
以下、本発明の実施形態を図１、図２、図３及び図４を参照しながら説明する。
〔Ａ．  平板型    図１、図２、図３〕
図１は、筐体を形成する平板の斜視図、図２は４枚の平板をそれぞれの嵌合部に差し込む斜視図、図３は筐体に組まれた２組を上下に積層する斜視図である。
【０００９】
平板１に、横方向嵌合部２と縦方向嵌合部３を設ける。横方向嵌合部の寸法ａは平板の厚み、寸法ｂは嵌合部の幅であるが、ａと同寸法にする。寸法ｃは、嵌合部の深さで、有効板幅の１／２とする。次に平板長辺端部に縦方向嵌合部３を設ける。上下の平板が填め合いになるような形状にする。その時の嵌合部厚みは、平板板厚の１／２とする。
【００１０】
以上の構造を持つ平板は、単一形状の部品のみで、筐体を形成できる。つまり対辺の平板１組は上に横方向嵌合部２がある向きに、またもう１組は下に横方向嵌合部２にある向きに、それぞれに嵌合部に差し込む。その時縦方向嵌合部３は、同一周囲の４辺とも、凸部もしくは凹部のみで統一し、その凹凸が、
筐体の内側か外側になるように揃える。
【００１１】
同様の方法で組み上げた筐体を順次重ねて所定の高さにする。
〔Ｂ．  背板型      図４〕
図４は、製材廃棄物である背板を加工し、プランターの板材した部材の斜視図である。
【００１２】
厚さの異なる背板を使用してプランターの筐体を形成する。先ず背板に平板型と同様な横方向嵌合部２と凹縦方向嵌合部４，凸縦方向嵌合部５を設ける。加工する位置は平面を基準として行う。しかし厚さのバラツキがある背板は、このままでは嵌合できないので、嵌合部を差し込むとき部材が干渉する部分６を切除する。すなわちａ寸法より高い部分は幅ｂ分切除し、さらに嵌合部外側になる部分７を嵌合突き合わせ外側の稜から４５°の方向で切除する。また隣り合う板材の横方向嵌合部３の位置は上下勝手違いに制作する。なお干渉切除部６を、嵌合部より中に設ければ、背板の外面（樹皮側）をプランター内にする事もできる。
【００１３】
【発明の効果】
以上説明したように、本発明によれば、プランターの筐体は、嵌合部を差し込むだけで、容易に形成することができる。またプランターを解体する場合も同様に簡便に行うことができる。同一形状の嵌合部をもつ長さの異なる部材は組み合わせられるので、植栽する植物や、配置などに応じてプランターの幅、高さなどを変化させられる。また結合具に釘やビスを使用しないので、刺さったり引っかけたりする事故がない。
さらに廃棄物の背板を利用することにより、資源再利用が計られ、天然木の感触を得られ美観の向上や合成物質の疎外感の抑制が計れる。
【００１４】
【図面の簡単な説明】
【図１】本発明の実施形態に係る筐体を形成する平板の斜視図。
【図２】本発明の実施形態に係る４枚の平板をそれぞれの嵌合部に差し込む斜視図。
【図３】本発明の実施形態に係る筐体に組まれた２組を上下に積層する斜視図。
【図４】本発明の実施形態に係る背板を加工し、プランターの板材した部材の斜視図。
【符号の説明】
１  板板
２  横方向嵌合部
３  縦方向嵌合部
４  凹縦方向嵌合部
５  凸縦方向嵌合部
６  干渉切除部（４５°）
７  嵌合上部切除部
【図１】
2004222693.tif 000003
【図２】
2004222693.tif 000004
【図３】
2004222693.tif 000005
【図４】
2004222693.tif 000006
(57)【要約】【課題】装飾用真珠を装飾品としの用途だけでなくマイナスイオンを発生したり遠赤外線を発生したりする機能を備えることにより価値を高める。【解決手段】本発明は、電気石（トルマリン）を球状体に加工し養殖真珠または人造真珠用の核とする。また養殖真珠または人造真珠用核の別の生成方法として電気石を粉末にし樹脂で固め球状体としたりまた従来真珠の核として用いられている貝などの粉末、ケイ酸、石灰などの粉末と混ぜ合わせ樹脂で固めたり焼成し固化したりまた高温で溶解し冷却することで透明な球状体を形成し真珠用の核とする。【選択図】  なし【特許請求の範囲】
【請求項１】
結晶の両端にプラスとマイナスの極性を持つ電気石を少なくとも含む養殖真珠および人造真珠用核。
【請求項２】
粉末状にされた前記電気石を固化体とした前記養殖真珠および人造真珠用核。
【発明の詳細な説明】
【００１】
【発明の属する技術分野】
本発明は、装飾品として用いる養殖真珠および人造真珠に用いる核に関するものである。
【００２】
【従来の技術】
従来、養殖真珠および人造真珠で作られたネックレス、ブローチ、指輪、置物などは、装飾品としてのみ使われてきた。
【００３】
【発明が解決しようとする課題】
真珠を装飾品として身につけることや置物として飾ることは、それ自体美の追求ということで人間に喜びをもたらすがさらに真珠にマイナスイオンを発生したり遠赤外線を発生したりする機能を備えることにより価値はより高まる。
【００４】
【課題を解決しようとする手段】
結晶の両端にプラスとマイナスの極性を持つ電気石を少なくとも含む球状体を養殖真珠または人造真珠の核とする。
【００５】
【発明の実施形態】
電気石は、トルマリンとも呼ばれ結晶の両端にプラスとマイナスの極性を持った極性結晶体で周囲の刺激（熱、光、摩擦、振動など）によりマイナスイオンを永久的に発生したり遠赤外線を発生したりすることが知られている。地球上にある鉱物のなかで唯一電気石（トルマリン）だけが自然の状態で永久的に電気を発生させ続けることができる。このような特性を有する電気石を身につけたりまた身近に置いたりすることにより新陳代謝の活性化、血液や細胞の還元化、血行促進、肩こり・腰痛・冷え性の改善、疲労回復、自律神経の安定化、免疫力の回復、身体の弱アルカリ性化などの効果が知られされさまざまな商品が販売されている。
本発明は、これらの電気石を加工し養殖真珠または塗膜が真珠光沢を呈する材料を塗装して製造される人造真珠用の核とする。ここで核の形状は、一般的に球状体が好ましい。この電気石（トルマリン）は、苦土電気石、鉄電気石、リチア電気石、リディコート電気石、灰電気石グループなど１０種類近くの種類からなる鉱物である。また養殖真珠または人造真珠用核の別の生成方法として電気石を粉末にし樹脂で固め球状体としたりまた従来真珠の核として用いられている貝などの粉末、ケイ酸、石灰などの粉末と混ぜ合わせ樹脂で固めたり焼成し固化したりまた高温で溶解し冷却することで透明な球状体を形成し真珠用の核とすることもできる。この粉末状の電気石を使った固化体の核は、真珠にしたときに穴をあけ安くしたりより美しくしたりするために利用される。
【００６】
【発明の効果】
電気石（トルマリン）からなる球状体を核とする養殖真珠および人造真珠を装飾品として身につけたりまた身近に置物として飾ることにより本来の真珠の美しさに対する喜びに加え電気石のもつマイナスイオンを永久的に発生したり遠赤外線を発生したりする特性により新陳代謝の活性化、血液や細胞の還元化、血行促進、肩こり・腰痛・冷え性の改善、疲労回復、自律神経の安定化、免疫力の回復、身体の弱アルカリ性化などの効果が新たに出てくる。